(57)【要約】      （修正有）【課題】外付け式マウス、キーボードなどの周辺機器に対してロックセキュリティ機能がある電子用品ロック連接器を提供する。【解決手段】電子用品ロック連接器は、上、下が互いに重なった第一板体１０と第二板体１００とを含む。該第一板体と第二板体はそれぞれ第一辺１１、第二辺１２、第一端１３、第二端１４があり、すべて枢接穴１５とロック穴１６が形成される。該第一板体の第一辺と第二板体の第二辺に少なくとも第一開口チャンネル１７と少なくとも第二開口チャンネル１７０がそれぞれ設けられ、また第一板体の第一端中央が縮径して第一ロック片１８が伸び、第二板体の第一端中央が縮径して第二ロック片１８０が伸びる。上述第一板体の第二辺と第二板体の第一辺はともに同一方向へ垂直に延伸する支持板１９があり、二つの支持板の側端はそれぞれ内へ曲がる止め板１９１がある。【選択図】図２
0003226506.tif 000002
【実用新案登録請求の範囲】
【請求項１】
上、下が互いに重なった第一板体と第二板体とを含む電子用品ロック連接器であって、
上記第一板体と上記第二板体は、それぞれ第一辺、第二辺、第一端、第二端があり、すべて枢接穴とロック穴が形成され、上記第一板体と第二板体の上記枢接穴によって枢接部材が挿し込んで結合されることで、上記第一板体と第二板体は上記枢接部材の貫通によって互いに枢接され、上記第一板体の第一辺と第二板体の第二辺には少なくとも第一開口チャンネルと少なくとも第二開口チャンネルがそれぞれ設けられ、また上記第一板体の第一端中央が縮径して第一ロック片が伸び、第二板体の第一端中央が縮径して第二ロック片が伸び、上記第一ロック片と第二ロック片はそれぞれ止め部を含み、上記二つの板体にある第一ロック片と第二ロック片を反対方向に設置することで、上記第一板体と第二板体が回されて合わされた後、上記第一ロック片と第二ロック片の止め部によって上記電子用品ロック連接器の両側より突き出され、上記第一板体の第二辺と第二板体の第一辺はともに同一方向へ垂直に延伸する支持板があり、上記二つの支持板の側端はそれぞれ内へ曲がる止め板があり、上記第一板体と第二板体の完全展開と、上記支持板によって上記電子用品ロック連接器を机などの平面に置くことで、スマートフォンが上記止め板、第一板体、第二板体によって仕切られた空間の中に入れられ、上記電子用品ロック連接器はロックしない時もスマートフォンスタンドとして使用できることを特徴とする電子用品ロック連接器。
【請求項２】
上記枢接穴は、上記第一端に近い所に設置され、上記ロック穴は、上記第二端に近い所に設置されることを特徴とする請求項１の電子用品ロック連接器。
【請求項３】
上記第一開口チャンネルと第二開口チャンネルは、上記枢接穴とロック穴の間に位置することを特徴とする請求項１の電子用品ロック連接器。
【請求項４】
上記第一ロック片と第二ロック片は、それぞれ直辺と上記直辺に向かって徐々に傾斜する斜辺を含み、上記直辺は側端に近い所に止め部が突き出すことを特徴とする請求項１の電子用品ロック連接器。
【請求項５】
上記支持板は、上記第一板体と第二板体の上方に垂直に伸びることを特徴とする請求項１の電子用品ロック連接器。
【請求項６】
上記枢接部材は、リベットであることを特徴とする請求項１の電子用品ロック連接器。
【考案の詳細な説明】
【技術分野】
【０００１】
本考案は電子用品ロック連接器に関し、特に外付け式マウス、キーボードなどの周辺機器に対してロックセキュリティ機能がある電子用品ロック連接器に関する。
【背景技術】
【０００２】
科学技術が進歩するおかげで、ノートパソコンのデザインはより軽く、薄く、小さくなる傾向がある。ノートパソコンは軽くて薄い、すぐに持ち歩けるデザインであるため、泥棒に狙われる的になりやすい。特に人混みの場所、または誰もいない事務所の中、このような状況がよく見られる。この現象を改善するために、業者がノートパソコンロックを研究開発した。
【０００３】
現在にある従来のノートパソコンロックの多くはノートパソコンにある穴によってロックを差し込んで固定し、該ノートパソコンロックのもう一端のワイヤーは机の脚などの固定場所に結合させる。しかし、実際に使用した経験によると、該ノートパソコンロックはノートパソコンの盗難を防ぐだけであって、外付けのマウス、キーボードなどの周辺機器にとってはセキュリティ効果がなく、不注意のために上述外付け式マウス、キーボードなどの周辺機器は一瞬にして盗まれる状況が起き、全面性の盗難防止効果に繋がりにくい。
【０００４】
従って、上述のような従来のノートパソコンロックにおける欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案が解決しようとする課題は、従来のノートパソコンロックはノートパソコンの盗難を防ぐだけであって、外付け式のマウス、キーボードなどの周辺機器にとってはセキュリティ効果がないという技術問題点について解決し、電子用品ロック連接器を提供する。
【課題を解決するための手段】
【０００６】
電子用品ロック連接器は、上、下が互いに重なった第一板体と第二板体とを含む。該第一板体と第二板体はそれぞれ第一辺、第二辺、第一端、第二端があり、すべて枢接穴とロック穴が形成される。該第一板体と第二板体の上述枢接穴によって枢接部材が挿し込んで結合されることで、上述第一板体と第二板体は該枢接部材の貫通によって互いに枢接される。該第一板体の第一辺と第二板体の第二辺は少なくとも第一開口チャンネルと少なくとも第二開口チャンネルがそれぞれ設けられる。また上述第一板体の第一端中央が縮径して第一ロック片が伸び、第二板体の第一端中央が縮径して第二ロック片が伸びる。該第一ロック片と第二ロック片はそれぞれ直辺と該直辺に向かって徐々に傾斜する斜辺を含む。上述直辺が側端に近い所に止め部が突き出し、該二つの板体にある第一ロック片と第二ロック片を反対方向に設置することで、上述第一板体と第二板体が回されて合わされた後、上述第一ロック片と第二ロック片の止め部によって上述電子用品ロック連接器の両側より突き出される。上述第一板体の第二辺と第二板体の第一辺はともに同一方向へ垂直に延伸する支持板があり、上述二つの支持板の側端はそれぞれ内へ曲がる止め板がある。該第一板体と第二板体の完全展開と、上述支持板によって上述電子用品ロック連接器を机などの平面に置くことで、スマートフォンが該止め板、第一板体、第二板体によって仕切られた空間の中に入れられ、該電子用品ロック連接器はロックしない時もスマートフォンスタンドとして使用できる。これによって、電子用品ロック連接器が得られる。
【０００７】
（一）電子用品ロック連接器は単独に外付け式マウス、キーボードなどの周辺機器を施錠でき、あるいはノートパソコンも一緒に施錠できるため、外付け式マウス、キーボードなどの周辺機器は不注意によるすぐに盗難されることが避けられ、全面性の盗難防止効果が得られる。
【０００８】
（二）上述電子用品ロック連接器は長すぎた上述接続ケーブルをまとめたり、ロックしない時にスマートフォンスタンドとして使ったりもできるため、実用性及び付加価値が大幅に増加される。
【図面の簡単な説明】
【０００９】
【図１】図１は、本考案に係る電子用品ロック連接器を示す立体組合せ図である。
【図２】図２は、本考案に係る電子用品ロック連接器を示す立体分解図である。
【図３】図３は、本考案の二つの板体を捻り開けた状態図である。
【図４】図４は、本考案は周辺機器の接続ケーブルをロックした状態を示す図である。
【図５】図５は、本考案のロック片はノートパソコンに挿し込んだ状態を示す図である。
【図６】図６は、本考案のロック片はノートパソコンをロックした状態を示す図である。
【図７】図７は、本考案が周辺機器を施錠した状態図である。
【図８】図８は、本考案はケーブルを合わせて使用する実施例図である。
【図９】図９は、本考案はケーブルをまとめた使用状態図である。
【図１０】図１０は、本考案はスマートフォンスタンドとして使用する実施例図である。
【考案を実施するための形態】
【００１０】
まず、図１から図２を参照されたい。本考案の電子用品ロック連接器は、上、下が互いに重なった第一板体（１０）と第二板体（１００）とを含む。該第一板体（１０）と第二板体（１００）はそれぞれ第一辺（１１）、第二辺（１２）、第一端（１３）、第二端（１４）があり、すべて枢接穴（１５）とロック穴（１６）が形成される。該第一板体（１０）と第二板体（１００）の上述枢接穴（１５）によって枢接部材（２０）が挿し込んで結合されることで、上述第一板体（１０）と第二板体（１００）は該枢接部材（２０）の貫通によって互いに枢接される。該第一板体（１０）の第一辺（１１）と第二板体（１００）の第二辺（１２）は少なくとも第一開口チャンネル（１７）と少なくとも第二開口チャンネル（１７０）がそれぞれ設けられる。また上述第一板体（１０）の第一端（１３）中央が縮径して第一ロック片（１８）が伸び、第二板体（１００）の第一端（１３）中央が縮径して第二ロック片（１８０）が伸びる。該第一ロック片（１８）と第二ロック片（１８０）はそれぞれ直辺（１８１）と該直辺に向かって徐々に傾斜する斜辺（１８２）を含む。上述直辺（１８１）が側端に近い所に止め部（１８３）が突き出し、該二つの板体にある第一ロック片（１８）と第二ロック片（１８０）を反対方向に設置することで、上述第一板体（１０）と第二板体（１００）が回されて合わされた後、上述第一ロック片（１８）と第二ロック片（１８０）の止め部（１８３）によって上述電子用品ロック連接器の両側より突き出される。上述第一板体（１０）の第二辺（１２）と第二板体（１００）の第一辺（１１）はともに同一方向（上）へ垂直に延伸する支持板（１９）があり、上述二つの支持板（１９）の側端はそれぞれ内へ曲がる止め板（１９１）がある。該第一板体（１０）と第二板体（１００）の完全展開と、上述支持板（１９）によって上述電子用品ロック連接器を机などの平面に置くことで、スマートフォン（７０）が該止め板（１９１）、第一板体（１０）、第二板体（１００）によって仕切られた空間の中に入れられ、該電子用品ロック連接器はロックしない時もスマートフォンスタンドとして使用できる。
【００１１】
上述枢接穴（１５）は上述第一端（１３）に近い所に設置され、上述ロック穴（１６）は上述第二端（１４）に近い所に設置される。
【００１２】
上述第一開口チャンネル（１７）と第二開口チャンネル（１７０）は上述枢接穴（１５）とロック穴（１６）の間に位置する。
【００１３】
上述止め部（１８３）は斜円錐に呈する。
【００１４】
上述枢接部材（２０）はリベットである。
【００１５】
実際に使用する時は、第一板体（１０）と第二板体（１００）を反対方向に捻り開け（同時に図３を参照されたい）、外付け式マウス、キーボードなどの周辺機器（３０）の接続ケーブル（３１）の適切な部分を該二つの板体の間に置いた後、上述二つの板体を戻せば、再び第一開口チャンネル（１７）と第二開口チャンネル（１７０）の内部空間によって上述接続ケーブル（３１）が収容され、該接続ケーブル（３１）は上述電子用品ロック連接器によってロックされる（同時に図４を参照されたい）。また上述二つの板体を戻す過程において、上述第一ロック片（１８）は第二ロック片（１８０）と先に合わせることで、上述二つのロック片はノートパソコン（４０）にある穴（４１）に挿し込めた後（同時に図５を参照されたい）転位して開く。上述止め部（１８３）の突起によって該ノートパソコン（４０）をロックし（同時に図６を参照されたい）、同時に上述二つの板体のロック穴（１６）は合わせられる。さらに錠前（５０）によって該ロック穴（１６）に挿し込まれることで、上述周辺機器（３０）は施錠されてセキュリティが得られる（同時に図７を参照されたい）。該錠前（５０）はケーブル（６０）を連結できるため（同時に図８を参照されたい）、該ケーブル（６０）によって机の脚などの固定物に巻き付けられ、ノートパソコン（４０）と周辺機器（３０）を一緒に盗難から守られる。上述支持板（１９）の伸びによって長さが長すぎた上述接続ケーブル（３１）が巻き付けられ（同時に図９を参照されたい）、該周辺機器（３０）の使用において長すぎた上述接続ケーブル（３１）による干渉をなくし、環境の散乱も避けられる。
【００１６】
上述周辺機器（３０）はロックしない時、上述第一板体（１０）と第二板体（１００）を完全展開し、上述支持板（１９）によって上述電子用品ロック連接器を机などの平面に置くことで、スマートフォン（７０）が該止め板（１９１）、第一板体（１０）、第二板体（１００）によって仕切られた空間の中に入れられる（同時に図１０を参照されたい）。これによって、該電子用品ロック連接器はロックしない時もスマートフォンスタンドとして使用でき、実用性と付加価値を大幅に増加される。
【００１７】
上述のような具体的な実施例の構造によると、以下の効果が得られる。（一）電子用品ロック連接器は単独に外付け式マウス、キーボードなどの周辺機器（３０）を施錠でき、あるいはノートパソコン（４０）も一緒に施錠できるため、外付け式マウス、キーボードなどの周辺機器（３０）は不注意によるすぐに盗難されることが避けられ、全面性の盗難防止効果が得られる。（二）上述電子用品ロック連接器は長すぎた上述接続ケーブル（３１）をまとめたり、ロックしない時にスマートフォンスタンドとしても使用できたりして、実用性と付加価値が大幅に増加される。
【００１８】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１９】
本考案：
１０              第一板体
１００            第二板体
１１              第一辺
１２              第二辺
１３              第一端
１４              第二端
１５              枢接穴
１６              ロック穴
１７              第一開口チャンネル
１７０            第二開口チャンネル
１８              第一ロック片
１８０            第二ロック片
１８１            直辺
１８２            斜辺
１８３            止め部
１９              支持板
１９１            止め板
２０              枢接部材
３０              周辺機器
３１              接続ケーブル
４０              ノートパソコン
４１              穴
５０              錠前
６０              ケーブル
７０              スマートフォン
【図１】
0003226506.tif 000003
【図２】
0003226506.tif 000004
【図３】
0003226506.tif 000005
【図４】
0003226506.tif 000006
【図５】
0003226506.tif 000007
【図６】
0003226506.tif 000008
【図７】
0003226506.tif 000009
【図８】
0003226506.tif 000010
【図９】
0003226506.tif 000011
【図１０】
0003226506.tif 000012